(57)【要約】【課題】浴室壁面にカウンターや洗面器台を設けることなく、洗面器やせっけん・シャンプー・リンス等の備品用の載置台を浴室壁面に着脱自在に設け、浴室の洗い場のスペースを有効に活用することができるようにする。【解決手段】浴室壁面に形成した断面コ字状の凹部に対して嵌合自在の嵌合部を洗面器及び備品載置台に設け、この嵌合部を介して洗面器と備品載置台が浴室壁面に着脱自在なものとした。【選択図】図７
2005224540.tif 000002
【特許請求の範囲】
【請求項１】
浴室壁面に形成した断面コ字状の凹部に対して嵌合自在の嵌合部を有し、該嵌合部を介して浴室壁面に着脱自在であることを特徴とする浴室用洗面器。
【請求項２】
前記凹部は浴室壁面の水栓下方に設けられ、この凹部内に係止具を備えると共に、前記洗面器の嵌合部には、前記凹部内の係止具に係合自在の係止片が設けられていることを特徴とする請求項１記載の浴室用洗面器。
【請求項３】
前記洗面器の底部に排水孔を設け、該排水孔からの排水量が、水栓から洗面器内に流入する水量より少量となるようにしたことを特徴とする請求項１記載の浴室用洗面器。
【請求項４】
浴室壁面に形成した断面コ字状の凹部に対して嵌合自在の嵌合部を有し、該嵌合部を介して浴室壁面に着脱自在であることを特徴とする浴室用備品載置台。
【請求項５】
前記凹部内に係止具を備えると共に、前記備品載置台の嵌合部には、前記凹部内の係止具に係合自在の係止片が設けられていることを特徴とする請求項４記載の浴室用備品載置台。
【請求項６】
前記凹部は浴室壁面に水平方向に形成され、該凹部内で前記嵌合部が摺動自在なことを特徴とする請求項１又は４記載の浴室用洗面器又は浴室用備品載置台。
【発明の詳細な説明】
【技術分野】
【０００１】
本発明は、浴室内の壁面に対して着脱自在に設けられる浴室用洗面器や、せっけん・シャンプー・リンス等の浴室用備品の載置台に関するものである。
【背景技術】
【０００２】
従来の浴室ユニットの洗い場部分の壁面には、水栓下方に壁面と一体的にカウンターが突設され、このカウンター上に、入浴時に使用するせっけん、シャンプー、リンス等の備品を載置できる構造となっている。また、これらの浴室ユニットの中には、上記の壁面カウンターの奥行きを拡げて、この上に洗面器を載置できる構造とし、入浴者が椅子に座った状態の高さで楽に洗面器を使用できるようにしたものも見受けられる。さらに、カウンター上面に凹部を設け、この凹部内に洗面器を嵌め込んで着脱自在とし、入浴者の使い勝手を改善したもの等も見られる（特開２００３−９３２５８、特開２００１−１６１５８７）。
【０００３】
ところで、アパートやマンションな等の集合住宅では、多くの場合、住居面積が狭小であるため、自ずと浴室の設置スペースにも制約がある。また、このような浴室スペースの制約は、狭小な土地に建築される戸建て住宅においても同様である。このため、小さな浴室内で僅かな洗い場のスペースを有効に活用する必要性が生じるが、上述の従来技術は、いずれのものも、カウンターが壁面と一体的に突設されている構造であるため、洗い場のスペースをより狭めてしまうという欠点がある。
【０００４】
以上の欠点を解消するために、洗面器の置き台を浴室壁面に収納自在に構成したものも見られる。例えば、浴室壁面の収納位置と、壁面に対して直角な水平位置との間をほぼ９０度回動可能な保持枠を設け、洗面器の使用に際しては、保持枠を水平位置まで回動させ、この上に洗面器を載置し、洗面器の使用後は、保持枠を回動させて収納位置に復帰させるものである（特開平７−２８４４５３）。しかし、このようなものは構造が複雑であるため、製造コストも嵩むという問題がある。また、保持枠上に、水や湯を満たした洗面器を載置した場合の保持枠の強度にも問題がある。
【０００５】
さらに、洗面器台を、浴室壁面に取り外し可能に設けたものも見られる。例えば、洗面器台を、固定具を介して浴室壁面に着脱自在に固定し、使用に際して洗面器台が浴室床面上に自立するように構成したものである（特開平１１−３１８７４５）。このタイプのものは、使用に際して洗面器台が床面上で自立しているため、強度の点では問題がない。しかし、洗面器と洗面器台の双方が必須であるため、使用・不使用に拘わらず、洗面器台によって洗い場のスペースが狭められるという問題がある。
【特許文献１】特開２００３−９３２５８、特開２００１−１６１５８７、特開平７−２８４４５３、特開平１１−３１８７４５
【発明の開示】
【発明が解決しようとする課題】
【０００６】
本発明が解決しようとする問題点は、浴室壁面にカウンターや洗面器台を設けることによって、浴室の洗い場のスペースが狭くなり、また、使い勝手が悪くなるという点である。
【課題を解決するための手段】
【０００７】
上記の課題を解決するために、請求項１に係る発明では、浴室壁面に形成した断面コ字状の凹部に対して嵌合自在の嵌合部を洗面器に設け、この嵌合部を介して洗面器が浴室壁面に着脱自在なものとした。
【０００８】
また、請求項２に係る発明では、前記凹部を浴室壁面の水栓下方に設け、この凹部内に係止具を備えると共に、前記洗面器の嵌合部に、前記凹部内の係止具に係合自在の係止片を設けた。
【０００９】
さらに、請求項３に係る発明では、前記洗面器の底部に排水孔を設け、該排水孔からの排水量が、水栓から洗面器内に流入する水量より少量となるようにした。
【００１０】
また、請求項４に係る発明では、浴室壁面に形成した断面コ字状の凹部に対して嵌合自在の嵌合部を浴室用備品載置台に設け、この嵌合部を介して備品載置台が浴室壁面に着脱自在なものとした。
【００１１】
さらに、請求項５に係る発明では、請求項４の凹部内に係止具を備えると共に、前記備品載置台の嵌合部に、前記凹部内の係止具に係合自在の係止片を設けた。
【００１２】
また、請求項６に係る発明では、請求項１又は４の凹部を浴室壁面に水平方向に形成し、該凹部内で洗面器又は備品載置台の嵌合部が摺動自在なものとした。
【発明の効果】
【００１３】
本発明に係る浴室用洗面器及び浴室用備品載置台によれば、浴室壁面にカウンターや洗面器台を設けることなく、洗面器やせっけん・シャンプー・リンス等の浴室備品用の載置台を、壁面に着脱自在に設けることができ、浴室の洗い場のスペースを有効に活用することができるという利点がある。
【発明を実施するための最良の形態】
【００１４】
上記の本発明の効果を最も有効な形で実現することができる浴室用洗面器と浴室用備品載置台の最良の形態を、以下の実施例に基づき説明する。
【実施例１】
【００１５】
図１〜図７は、本発明の実施例を示すもので、図１において、１０は浴室の壁面を形成する繊維強化樹脂製のパネルで、このパネルは、浴室の洗い場の水栓下から床までの壁面を形成するものである。このパネル１０の浴室内部側の表面には、断面がコ字状の凹部１１が水平方向に設けられている。
【００１６】
パネル１０の凹部１１内には、図５に示されるように、係止具１２が設けられる。この実施例において、係止具１２は、アルミニウム製又はステンレス製のもので、凹部の上面にネジ止め等によって固定されている。
【００１７】
図２は洗面器２０を示すもので、この洗面器は繊維強化樹脂によって一体成型され、平面がほぼ半円形状をなし、その底面には、排水孔２２が７つ設けられている。この排水孔の大きさ・数・形状は任意であるが、洗面器の使用時に、排水孔２０からの排水量が、水栓から洗面器内に流入する水や湯の量を越えることのない程度のものとする。これにより、洗面器の使用時には、水栓を開けた状態で洗面器内に必要量の水や湯を蓄えておくことができ、他方、洗面器の使用後は、水や湯が入ったままで放置しておいても、水や湯は排水孔２０から自然に落下して、洗面器内は空になる。わざわざ洗面器を取り外して水や湯を捨てる必要はない。
【００１８】
図２及び図４において、洗面器２０には、その半円形の直径に相当する側面に沿って嵌合部２１が突設されている。そして、この嵌合部２１には、上部係止片２１１と下部係止片２１２が形成されている。嵌合部２１の形状は、図４に示すように、その部位によって異なるが、上部係止片２１１が嵌合部２１の全長に渡って斜め上向きに突設されているのに対し、下部係止片２１２は、嵌合部の長手方向の中央部に対して対称の位置に２個所形成され、その先端部の下面が湾曲状をなしている（図４（Ａ））。
【００１９】
図３は、せっけん載置台３０を示すもので、このせっけん載置台も、前記洗面器２０同様に、繊維強化樹脂によって一体成型されている。せっけん載置台３０は、平面がほぼ正方形状をなし、その中央部分が円形状に窪んで陥没部３２を形成し、載置したせっけんが落下し難くなっている。また、陥没部３２には、水切り孔３３が７つ設けられている。
【００２０】
せっけん載置台３０の一辺には、その全長に渡って嵌合部３１が設けられ、この嵌合部３１に上部係止片３１１と下部係止片３１２が形成されている。この嵌合部３１の形状は、前記の洗面器２０の嵌合部２１と同様であり、図４に示す通りである。なお、せっけん載置台の下部係止片３１２は、嵌合部３１の長手方向の中央部分に１個所だけ形成されている。
【００２１】
次に、洗面器２０及びせっけん載置台３０を浴室壁面に取り付ける場合について説明する。洗面器とせっけん載置台の嵌合部（２１，３１）は同様の構造なので、ここでは、せっけん載置台３０について説明する。
【００２２】
図５及び図６において、せっけん載置台３１を壁面に取り付ける時は、まず、せっけん載置台の嵌合部３１をパネル１０の凹部１１内に斜め上方から挿入し、上部係止片３１１を凹部内の係止具１２に係止させた後に、上部係止片３１１の先端を中心にせっけん載置台３０全体を下方に回動させながら、下部係止片３１２を凹部１１内に押し入れるようにして取り付ける。その際、下部係止片３１２の先端部の下面が湾曲状をなしているため、凹部内にスムーズに押し入れることができ、また、下部係止片３１２には一定の弾性があるため、凹部内に挿入された嵌合部３１は、上部係止片３１１と下部係止片３１２とによって、凹部内で強固に固定される。
【００２３】
また、せっけん載置台３０を壁面から取り外す場合には、まず、上部係止片３１１の先端を中心にせっけん載置台全体を上方に回動させて、下部係止片３１２を凹部１１内から外し、そのまま回動を継続すれば、上部係止片３１１と係止具１２との係合状態が解かれ、嵌合部３１を凹部１１から取り外すことができる。
【００２４】
図７は、洗面器２０とせっけん載置台３０の使用状態を示すもので、この図において、洗面器とせっけん載置台は、壁面に対して水平方向に一連に形成された凹部１１に嵌合され、取り付けられている。このように、壁面の凹部を、洗面器やせっけん載置台の幅よりも長くかつ一連に形成すれば、使用者（入浴者）は、必要に応じて洗面器や備品載置台を凹部に沿って摺動させることができ、洗い場のスペースを有効に活用することができる。
【００２５】
また、洗面器とせっけん載置台の組み合わせや並べ方は使用者（入浴者）が自由に決めることができ、これにより入浴者にとってより使い勝手の良いものとすることができる。
また、壁面の凹部を、洗面器用のものとせっけん載置台用のものとで別個に設けても良い。この場合、洗面器を取り付けるための凹部は、水栓の下方に設ける必要があるが、備品載置台を取り付けるための凹部は、壁面の適宜な場所に自由に設けることができる。この場合の凹部は、必ずしも一連に長く形成する必要はなく、また、嵌合部も、洗面器やせっけん載置台の側面の全長に渡って設ける必要はない。凹部や嵌合部の長さは適宜である。
【００２６】
さらに、以上の実施例では、浴室用備品載置台（請求項４及び５）として、せっけん載置台３０について説明したが、この載置台が、例えば、シャンプーやリンスを載置するためのものならば、その用途に応じて適宜な形状とすれば良く、要は、かかる載置台が、浴室壁面の凹部１１に嵌合自在の嵌合部３１を有するものであれば良い。
【実施例２】
【００２７】
図８は、上記の実施例とは別の実施例を示すもので、この実施例では、係止具１２は、その弾性に抗して凹部１１内に圧入され、固定されている。そして、せっけん載置台３０を壁面に取り付ける場合には、凹部１１内で、嵌合部３１の上部係止片３１１と下部係止片３１２の両方が係止具１２に係合するようになっている。着脱の方法は、上記の実施例の場合と同様である。
【実施例３】
【００２８】
図９は、さらに別の実施例を示すもので、この実施例では、嵌合部３１の形状は凹部１１の内部形状に対応するものとなっており、凹部内に係止具は設けられていない。この実施例のせっけん載置台３０を壁面に取り付ける場合には、嵌合部３１を凹部１１に対して水平に挿入すればよい。
【産業上の利用可能性】
【００２９】
浴室壁面にカウンターや洗面器台を設けることなく、洗面器やせっけん・シャンプー・リンス等の浴室備品用の載置台を、浴室壁面に着脱自在に設けることができるので、洗い場スペースが狭小な浴室においても適用でき、限られたスペースを有効に活用することができる。
【図面の簡単な説明】
【００３０】
【図１】浴室壁面に形成された凹部を示す図である。（実施例１）
【図２】浴室用洗面器を示す図である。（実施例１）
【図３】せっけん載置台を示す図である。（実施例１）
【図４】洗面器及びせっけん載置台に設けられた嵌合部の断面を示す図である。（実施例１）
【図５】嵌合部が凹部内に嵌合された状態をを示す図である。（実施例１）
【図６】洗面器及びせっけん載置台の壁面への着脱を示す図である。（実施例１）
【図７】洗面器及びせっけん載置台の使用状態を示す図である。（実施例１）
【図８】嵌合部が凹部内に嵌合された状態を示す図である。（実施例２）
【図９】嵌合部が凹部内に嵌合された状態を示す図である。（実施例３）
【符号の説明】
【００３１】
１０    パネル
１１    凹部
２０    洗面器
２１    嵌合部
２１１  上部係止片
２１２  下部係止片
２２    排水孔
３０    せっけん載置台
３１    嵌合部
３１１  上部係止片
３１２  下部係止片
３２    陥没部
３３    水切り孔
【図１】
2005224540.tif 000003
【図２】
2005224540.tif 000004
【図３】
2005224540.tif 000005
【図４】
2005224540.tif 000006
【図５】
2005224540.tif 000007
【図６】
2005224540.tif 000008
【図７】
2005224540.tif 000009
【図８】
2005224540.tif 000010
【図９】
2005224540.tif 000011